(57)【要約】【課題】簡単な形状構造でありながら、容易に設置対象部材を被設置対象物に設置することができる固定具の提供。【解決手段】この固定具２は、第一固定板４と、第二固定板６とを有しており、この第一固定板４と第二固定板６とが直交していることにより、その側面がＬ字状を呈しており、第一固定板４及び第二固定板６それぞれが、木ねじ２２、２４等の固定用部材が挿通されうる貫通孔１６、１８、２８を有している。【選択図】図４
2017106171.tif 000002
【特許請求の範囲】
【請求項１】
第一固定板と、第二固定板とを有しており、
この第一固定板と第二固定板とが直交しており、
第一固定板及び第二固定板それぞれが、固定用部材が挿通されうる貫通孔を有している、固定具。
【請求項２】
上記第一固定板に形成された貫通孔には、丸孔と長孔とが含まれており、
この長孔の長手方向の中心軸が、上記第二固定板に直交する方向に延びている、請求項１に記載の固定具。
【請求項３】
上記丸孔の中心が、上記長孔の長手方向の中心軸の延長線上に位置している、請求項２に記載の固定具。
【請求項４】
上記第二固定板に直交する方向に延びる長孔及び丸孔の列が複数列存在する、請求項２又は３に記載の固定具。
【請求項５】
固定具を用いて、設置対象部材を被設置対象物に取り付ける方法であって、
上記固定具が、請求項１から４のいずれかに記載の固定具であり、
一の固定具の第二固定板と、他の固定具の第二固定板とで、設置対象部材の縁部を挟み、
上記一の固定具の第一固定板と、上記他の固定具の第一固定板とを、部分的に重ねた状態で、被設置対象物の面に固定する、設置対象部材の取り付け方法。
【請求項６】
上記一の固定具の第一固定板の後面を、被設置対象物の外面に当接させ、固定用部材により、この一の固定具を被設置対象物に固定し、
上記一の固定具の第二固定板の下面に、設置対象部材の縁部の一方の面を当接させ、他の固定具の第二固定板の上面を、上記設置対象部材の縁部の他方の面に当接させることにより、上記両固定部材の第二固定板同士によって設置対象部材の縁部を挟み、
この他の固定具の第一固定板を、上記一の固定具の第一固定板に重ねた状態で、固定用部材により、これらの両固定具を上記被設置対象物に固定する、請求項５に記載の設置対象部材の取り付け方法。
【請求項７】
上記他の固定具を上記被設置対象物に固定する前に、又は、固定した後に、上記他の固定具の第二固定板を、固定用部材により、上記設置対象部材に固定する、請求項６に記載の設置対象部材の取り付け方法。
【発明の詳細な説明】
【技術分野】
【０００１】
本発明は、固定具、及び、この固定具を用いて設置対象部材を被設置対象物に設置する方法に関する。
【背景技術】
【０００２】
例えば、一般住宅の屋根に太陽光発電パネル等を設置する工事が知られている。この工事では、パネル設置用の架台を、スレート等の屋根材、野地板等にネジ止めすることが多い。しかし、取り付け対象である上記屋根材、野地板等の板材によって、パネルの設置が制限されている場合がある。このような板材としては、パーティクルボード、ＯＳＢ合板等が挙げられる。制限の理由の一つとして、パネル及び架台を通して加わる押し引き等の外力に対する強度が十分でない場合が挙げられる。一方、パネル設置のための屋根材や野地板の交換、及び、屋根の補強工事は、大がかりな作業となり、費用も嵩む。特開２００８−１６３６４０号公報には、太陽光パネル固定金具が例示されている。
【先行技術文献】
【特許文献】
【０００３】
【特許文献１】特開２００８−１６３６４０号公報
【発明の概要】
【発明が解決しようとする課題】
【０００４】
前述したように、太陽光発電パネル設置のための補強工事が困難な場合がある。本発明の目的は、このような場合も含めて、構造物等の補強等のために、被設置対象物に他の設置対象部材を設置するための固定具、及び、この固定具を用いた、設置対象部材の設置方法を提供することにある。
【課題を解決するための手段】
【０００５】
本発明に係る固定具は、
第一固定板と、第二固定板とを有しており、
この第一固定板と第二固定板とが直交しており、
第一固定板及び第二固定板それぞれが、固定用部材が挿通されうる貫通孔を有している。
【０００６】
好ましくは、上記第一固定板に形成された貫通孔には、丸孔と長孔とが含まれており、
この長孔の長手方向の中心軸が、上記第二固定板に直交する方向に延びている。
【０００７】
好ましくは、上記丸孔の中心が、上記長孔の長手方向の中心軸の延長線上に位置している。
【０００８】
さらに好ましくは、上記第二固定板に直交する方向に延びる長孔及び丸孔の列が複数列存在する。
【０００９】
本発明に係る設置対象部材の取り付け方法は、
固定具を用いて、設置対象部材を被設置対象物に取り付ける方法であって、
上記固定具が、前述したうちのいずれかの固定具であり、
一の固定具の第二固定板と、他の固定具の第二固定板とで、設置対象部材の縁部を挟み、
上記一の固定具の第一固定板と、上記他の固定具の第一固定板とを、部分的に重ねた状態で、被設置対象物の面に固定する。
【００１０】
好ましくは、上記一の固定具の第一固定板の後面を、被設置対象物の外面に当接させ、固定用部材により、この一の固定具を被設置対象物に固定し、
上記一の固定具の第二固定板の下面に、設置対象部材の縁部の一方の面を当接させ、他の固定具の第二固定板の上面を、上記設置対象部材の縁部の他方の面に当接させることにより、上記両固定部材の第二固定板同士によって設置対象部材の縁部を挟み、
この他の固定具の第一固定板を、上記一の固定具の第一固定板に重ねた状態で、固定用部材により、これらの両固定具を上記被設置対象物に固定する。
【００１１】
好ましくは、上記他の固定具を上記被設置対象物に固定する前に、又は、固定した後に、上記他の固定具の第二固定板を、固定用部材により、上記設置対象部材に固定する。
【発明の効果】
【００１２】
本発明に係る固定具によれば、簡単な形状構造でありながら、容易に設置対象部材を被設置対象物に設置することができる。
【図面の簡単な説明】
【００１３】
【図１】図１は、固定具を用いて補強支持部材を設置する対象である一般住宅の屋根の構造を概略的に示す一部切り欠き斜視図である。
【図２】図２（ａ）は、本発明の一実施形態に係る固定具を示す正面図であり、図２（ｂ）はその平面図であり、図２（ｃ）はその右側面図である。
【図３】図３は、図１のＩＩＩ−ＩＩＩ線に沿って見た断面図であり、図２に示す固定具をも含んでいる。
【図４】図４は、図３における右側の２つの固定具を拡大して示す断面図である。
【発明を実施するための形態】
【００１４】
以下、適宜図面が参照されつつ、好ましい実施形態に基づいて本発明が詳細に説明される。
【００１５】
図１には、一般的な木造住宅の屋根の骨組みが概略的に示されている。梁１０２の上部に、複数本の母屋１０４が互いに間隔を置いて配列されている。この複数本の母屋１０４は、互いに平行にされ、高低差が付けられている。この母屋１０４の上に、複数本の垂木１０６が互いに間隔を置いて配列されている。この複数本の垂木１０６は、上下に傾斜させられて、互いに平行に配列されている。この垂木１０６の上に、屋根部材１０８が張られている。屋根部材１０８は、例えば、スレート１１０と、このスレート１１０の下面に重ねられたパーティクルボード１１２とを含んでいる。パーティクルボードは、再生木材からなる板部材である。屋根部材１０８の材質は限定されない。ここでは、その強度上、太陽光発電パネル設置用の架台（図３に符号１１６で示し、以下、パネル架台とも呼ぶ）を直接取り付けるのが好ましくない材質からなる屋根部材１０８であるとする。
【００１６】
この屋根には、設置対象部材としての補強支持部材１１４が取り付けられる。屋根が被設置対象物である。補強支持部材１１４は、そこにパネル架台１１６を固定するためのものである。この補強支持部材１１４は板状を呈している。この補強支持部材１１４が、パネルの重量及び押し引き等の外力を支持する。この補強支持部材１１４は、十分な強度を有すると共に、固定用部材としての木ねじが螺入しうる材料、例えば、いわゆるコンパネ（コンクリートパネル）等から構成される。この補強支持部材１１４は、屋根部材１０８の下面に接する位置か、近接した位置に取り付けられる。このため、図１に示す屋根では、補強支持部材１１４は、隣接する母屋１０４同士の間であり、且つ、隣接する垂木１０６同士の間に設置される。必要に応じ、補強支持部材１１４を、屋根部材１０８の下面から大きく離間させて取り付けることも容易である。
【００１７】
図２には、上記補強支持部材１１４を屋根の構造部材に固定するための固定具２が示されている。図２（ａ）における上下方向を上下方向と呼び、左右方向を左右方向又は横方向と呼び、図２（ｃ）における左右方向を前後方向と呼ぶ。図３には、この固定具２を用いて、屋根部材１０８の下面に近接した位置に取り付けられた補強支持部材１１４が示されている。図３は、図１における補強支持部材１１４を、垂木１０６の長手方向（ＩＩＩ−ＩＩＩ矢印方向）に沿って見た断面図である。
【００１８】
図２に示されるように、固定具２は板材から形成されている。この固定具２の材質としては、鉄鋼、軟鉄、ステンレス鋼、黄銅、アルミ合金等の金属、硬質の合成樹脂等が採用されうる。固定具２は、互いに連続した第一固定板４と第二固定板６とを有している。図２（ａ）において、上下に延びる広い板状部分が第一固定板４であり、前後に延びる狭い板状部分が第二固定板６である。
【００１９】
第一固定板４及び第二固定板６は、いずれも矩形の平板状を呈している。外形は、矩形には限定されないが、矩形であるのが使用上便利であるため好ましい。第一固定板４の左右方向寸法は、補強支持部材１１４の幅寸法に近い寸法にするのが便利である。第一固定板４の上下方向寸法は、垂木１０６の上下幅寸法に近い寸法にするのが便利である。第二固定板６の前後方向寸法は、補強支持部材１１４の側縁を安定して挟圧しうる寸法にすればよい。図２に示される固定具２では、第一固定板４の左右方向寸法が約２００ｍｍ、上下方向寸法が約１００ｍｍ、第二固定板６の前後方向寸法が約２２ｍｍ、固定具２の厚さは、均一で約４ｍｍにされている。しかし、この寸法には限定されない。
【００２０】
第一固定板４と第二固定板６とは互いに直交している。固定具２の側面はＬ字状を呈している（図２（ｃ））。固定具２は、一枚の板材からＬ字状に屈曲して形成されてもよい。また、固定具２は、別体の第一固定板４と第二固定板６とが溶接等によって接続されることによって形成されてもよい。
【００２１】
図２（ｃ）において、第一固定板４の左側の面を前面８と呼び、右側の面を後面１０と呼ぶ。第二固定板６の下側の面を下面１２と呼び、上側の面を上面１４と呼ぶ。
【００２２】
第一固定板４及び第二固定板６それぞれが、木ねじ、釘等の固定用部材が挿通されうる貫通孔を有している。第一固定板４に形成された貫通孔には、丸孔１６と長孔１８とが含まれている。この長孔１８の長手方向は、上下方向、すなわち第二固定板６に直交する方向である。しかし、かかる形態には限定されない。丸孔１６の中心は、長孔１８の長手方向の中心軸の延長線上に位置している。本実施形態では、丸孔１６と長孔１８との配列は、上下方向に「丸」「長」「丸」「長」「丸」の順となっている。しかし、係る配列には限定されない。
【００２３】
第二固定板６に直交する方向に延びる長孔１８と丸孔１６とからなる列は、１列以上存在する。本実施形態ではこの列は６列であるが、本発明では６列には限定されない。この列数は、固定具２の左右方向幅に応じて増減することができる。第一固定板４における長孔１８の長さは、本実施形態では全て同一であるが、かかる構成には限定されない。複数個の固定具を製造する場合、全て同一形状にする必要はない。第一固定板４に、長孔１８が形成されておらず、その分、より多くの丸孔が形成された固定具であってもよい。しかし、後述するように、二個の固定具２を重ねて固定する際に、両固定具２の位置調整を容易にしうる点から、第一固定板４には長孔１８が設けられているのが好ましい。
【００２４】
図２（ｂ）に示されるように、第二固定板６に形成された貫通孔は全て丸孔２０である。この丸孔２０は、第二固定板６に１個以上形成される。本実施形態ではこの丸孔２０の個数は３個であるが、本発明では３個には限定されない。この個数は、固定具２の左右方向幅に応じて増減することができる。
【００２５】
上記丸孔１６、２０には、皿座繰り（図４の符号１６ａ、２０ａ）又は座繰りを設けておくのが好ましい。図４には図示されていないが、長孔１８にも皿座繰り又は座繰りを設けておいてもよい。
【００２６】
この固定具２の一般的な使用例は、以下の通りである。第一固定板４が、固定具２を被設置対象物たる構造物に固定するために用いられ、第二固定板６が、固定具２を設置対象部材たる補強支持部材１１４に取り付けるために用いられる。しかし、かかる方法には限定されず、その逆であってもよい。
【００２７】
図３及び図４を参照しつつ、固定具２の使用例を説明する。図３に示されるように、補強支持部材１１４は、固定具２を用いて、屋根部材１０８の下面に近接した位置に取り付けられる。ここでは、長方形の補強支持部材１１４が例示されている。しかし、補強支持部材１１４の外形は長方形には限定されない。この外形は、被設置対象である屋根の形状、構造に応じて変更されうる。
【００２８】
図示の補強支持部材１１４は、図１に二点鎖線で示されるように、その幅が、隣接する垂木１０６同士の間隔より僅かに狭くされている。その長さは、隣接する母屋１０４同士の間隔より僅かに短くされている。このような大きさの補強支持部材１１４は、屋根部材１０８の下面に接近させることができる。
【００２９】
図示の構造を有する屋根では、母屋１０４等の他の部材に較べて、垂木１０６が、屋根部材１０８に最も近く、且つ、多数本備わっている。従って、固定具２は、垂木１０６に取り付けるのが便利である。図３に示されるように、補強支持部材１１４の左右の各側縁それぞれに、２個の固定具２が、木ねじ２４によって固定されている。各２個の固定具２は、それらの第二固定板６同士が、補強支持部材１１４の各側縁を上下から挟んだ状態で固定されている。これらの固定具２は、その第一固定板４同士が重なった状態で、垂木１０６の側面に、木ねじ２２によって固定されている。
【００３０】
図３に示されるように、上記補強支持部材１１４には、パネル架台１１６が取り付けられている。図示のごとく、パネル架台１１６は、補強支持部材１１４に対し、木ねじ２６によって固定されてもよい。パネル架台１１６は、屋根部材１０８の上に位置する。屋根部材１０８には木ねじ２６用の貫通孔１１８が形成されている。
【００３１】
上記貫通孔１１８には円筒状のスペーサ１２０が挿入されている。このスペーサ１２０の中に、木ねじ２６が挿入される。スペーサ１２０の下端は補強支持部材１１４の上面に当接し、スペーサ１２０の上端はパネル架台１１６の下面に当接している。このスペーサ１２０の介在により、パネル架台１１６及び木ねじ２６から、屋根部材１０８への外力の負荷が制限される。これら外力の多くを補強支持部材１１４が受けることになる。
【００３２】
次に、図４を参照しつつ、補強支持部材１１４及びパネル架台１１６を屋根に取り付ける手順の一例を簡単に説明する。取り付け手順はこの例には限定されない。図４は、図３における右側の２つの固定具を拡大して示す断面図であるとともに、図２（ａ）におけるＩＶ−ＩＶ線に沿って見た断面図にも相当する。
【００３３】
まず、屋根部材１０８上の、パネル架台１１６を設置する位置を決定する。補強支持部材１１４を用意する。この補強支持部材１１４を、パネル架台１１６の設置予定位置を含む所定形状に切断する。この所定形状とは、前述したように、隣接する母屋１０４同士の間と、隣接する垂木１０６同士の間とに配置可能な形状である。さらに、左右の両側縁が、対向する垂木１０６の側面に接近した形状である。そして、４個以上且つ偶数個の固定具２を用意する。これら固定具２は、全て同一形状同一構造でよい。パネル架台１１６固定用の木ねじ２６及びスペーサ１２０を用意する。固定具２固定用の木ねじ２２、２４を用意する。
【００３４】
隣接する垂木１０６の対向する面それぞれに、１個の固定具２が固定される。これらの固定具２を、ここでは、先の固定具２（図４における上側の固定具２）と呼ぶ。先に固定されるからである。先の固定具２は、図４に示されるように、その第一固定板４の後面１０が、垂木１０６の対向面に押し当てられる。この第一固定板４は、その丸孔１６に通された木ねじ２２によって垂木１０６に固定される。丸孔１６が用いられるのは、先の固定具２の位置ズレを回避するためである。図３、４では、木ねじ２２は、第一固定板４の最上の丸孔１６にのみ取り付けられているが、これには限定されない。全ての丸孔１６に木ねじ２２が取り付けられてもよい。使用する丸孔１６は適宜選択すればよい。これら先の固定具２は、その第二固定板６の下面１２により、補強支持部材１１４の位置決めをも行う。従って、先の固定具２は、その第二固定板６が屋根部材１０８の下面１２にできるだけ近づいた位置に固定される。
【００３５】
次に、補強支持部材１１４を、パネル架台１１６設置予定位置を含む所定位置に、下方から押し上げる。補強支持部材１１４の両側縁の上面を、先の固定具２の第二固定板６の下面１２に押し当てる。補強支持部材１１４の位置決めである。補強支持部材１１４を、この状態で保持する。新たな固定具２を、上記先の固定具２に対応する位置に配置する。これらの新たな固定具２（図４における下側の固定具２）を、ここでは、後の固定具２と呼ぶ。既に固定されている先の固定具２に重ねて、後で固定されるからである。
【００３６】
上記後の固定具２の第二固定板６の上面１４が、補強支持部材１１４の下面に押し当てられる。こうすることにより、両固定具２の第二固定板６同士により、補強支持部材１１４が挟まれる。後の固定具２の第一固定板４の後面１０が、先の固定具２の第一固定板４の前面８に押し当てられる。この状態で、両固定具２の第一固定板４の貫通孔同士が位置合わせされる。
【００３７】
この位置合わせが完了したら、後の固定具２は、先の固定具２と重なった状態で、垂木１０６に固定される。具体的には、後の固定具２の第一固定板４の丸孔１６、及び、先の固定具２の第一固定板４の長孔１８に通された木ねじ２２により、後の固定具２は、垂木１０６に固定される。木ねじ２２を、先の固定具２の長孔１８に通すことにより、後の固定具２の固定位置の上下の微調整が可能となる。また、後の固定具２を、先の固定具２の長孔１８に沿って上下に移動させることにより、異なる厚さの補強支持部材１１４にも、容易に対応することができる。
【００３８】
次いで、後の固定具２の第二固定板６が、補強支持部材１１４の下面に固定される。すなわち、木ねじ２４を、この第二固定板６の丸孔２０を通して、補強支持部材１１４に固定する。
【００３９】
屋根部材１０８におけるパネル架台１１６の設置予定位置に、貫通孔１１８を形成する。各貫通孔１１８に上記スペーサ１２０を挿入する。スペーサ１２０にパネル架台１１６を搭載する。パネル架台１１６のボルト孔等及びスペーサ１２０内に、木ねじ２４を挿通する。この木ねじ２４を、補強支持部材１１４に螺入することにより、パネル架台１１６を補強支持部材１１４に固定する。
【００４０】
以上の通り、固定具２と木ねじ２２、２４とを用意することにより、容易に補強支持部材１１４を屋根の骨組み等に取り付けることができる。さらに、パネル架台１１６を上記補強支持部材１１４に固定することも容易である。たとえ、隣接する垂木１０６のサイズが異なっていても、以上説明された固定具２の使用法により、補強支持部材１１４を屋根に取り付けることができる。また、垂木１０６等の面同士が平行でなくても、補強支持部材の外形を垂木１０６等の面に沿った形状とすることにより、固定具２を有効に使用することができる。
【００４１】
以上の説明では、固定具２の使用対象として、屋根の垂木１０６への補強支持部材１１４の固定を例示した。しかし、この固定具２の使用態様は、かかる例には限定されない。例えば、２本の構造材同士の間、２つの壁面同士の間、及び、これらが混在している場合であっても、上記固定具２を用いることにより、部材を固定することができる場合が多い。また、この固定すべき部材としては、特に板状物には限定されない。
【産業上の利用可能性】
【００４２】
本発明に係る固定具は、屋根の上に太陽光発電パネル等を設置する場合を含み、構造物に種々の部材を取り付ける場合に有用である。
【符号の説明】
【００４３】
２・・・固定具
４・・・第一固定板
６・・・第二固定板
８・・・（第一固定板の）前面
１０・・・（第一固定板の）後面
１２・・・（第二固定板の）下面
１４・・・（第二固定板の）上面
１６・・・（第一固定板の）丸孔
１８・・・（第一固定板の）長孔
２０・・・（第二固定板の）丸孔
２２・・・（第一固定板用の）木ねじ
２４・・・（第二固定板用の）木ねじ
２６・・・（パネル架台用の）木ねじ
１０２・・・梁
１０４・・・母屋
１０６・・・垂木
１０８・・・屋根部材
１１０・・・スレート
１１２・・・パーティクルボード
１１４・・・補強支持部材
１１６・・・パネル架台
１１８・・・貫通孔
１２０・・・スペーサ
【図１】
2017106171.tif 000003
【図２】
2017106171.tif 000004
【図３】
2017106171.tif 000005
【図４】
2017106171.tif 000006